(57)【要約】【課題】女性用ブラジャーおよび男性用パンツのような衣類に用いるための着用者に通気を提供するパッドを提供する。【解決手段】本発明によるパッドの設計は、着用者の体熱が内層から外層へ消散して通気および放熱効果を効果的に達成し、より快適な下着またはブラジャーを着用者に提供することができるように、溝および開口の形態の通気路を有する。【選択図】図１
2015086503.tif 000002
【特許請求の範囲】
【請求項１】
パッド本体、上層および下層を有し、前記パッド本体は、複数の溝および前記溝の交差部に開口を有し、前記パッド本体は、前記上層および下層の間に配置される、ことを特徴とするブラジャーパッド。
【請求項２】
前記溝は複数の横列および縦列からなるパターンである、請求項１に記載のブラジャーパッド。
【請求項３】
前記上層および下層の少なくとも一方上に１枚の布を更に有する、請求項１または２に記載のブラジャーパッド。
【請求項４】
前記上層の少なくとも片側に溝を有する、請求項１または２に記載のブラジャーパッド。
【請求項５】
前記下層の少なくとも片側に溝を有する、請求項１または２に記載のブラジャーパッド。
【請求項６】
前記上層および下層は薄い透過性材料で作られる、請求項１または２に記載のブラジャーパッド。
【請求項７】
前記上層および下層は複数の開口を有する、請求項１または２に記載のブラジャーパッド。
【請求項８】
請求項１または２に記載のブラジャーパッドを有するブラジャーカップ。
【請求項９】
ブラジャーパッドの製造方法であって、
（ａ）複数の溝を有するパッド本体を準備するステップと、
（ｂ）前記パッド本体の溝の交差部に開口を開けるステップと、
（ｃ）透過性材料で作られた上層および下層、または複数の開口が開けられた上層および下層を準備するステップと、
（ｄ）前記パッド本体を前記上層および下層の間に配置するステップと、
（ｅ）前記上層および／または下層を布で覆うステップと、
（ｆ）前記布、前記上層および下層、および前記パッド本体を一緒に成形してブラジャーパッドを形成するステップと、を有することを特徴とする方法。
【請求項１０】
ブラジャーパッドの製造方法であって、
（ａ）複数の溝の横列および縦列を有するパッド本体を準備するステップと、
（ｂ）前記パッド本体の溝の交差部に開口を開けるステップと、
（ｃ）透過性材料で作られた上層および下層、または複数の開口が開けられた上層および下層を準備するステップと、
（ｄ）前記パッド本体を前記上層および下層の間に配置するステップと、
（ｅ）前記上層および／または下層を布で覆うステップと、
（ｆ）前記布、前記上層および下層、および前記パッド本体を一緒に成形してブラジャーパッドを形成するステップと、を有することを特徴とする方法。
【請求項１１】
ブラジャーパッドの製造方法であって、
（ａ）複数の溝を有するパッド本体を準備するステップと、
（ｂ）前記パッド本体の溝の交差部に開口を開けるステップと、
（ｃ）透過性材料で作られた上層および下層、または複数の開口が開けられた上層および下層を準備するステップと、
（ｄ）前記パッド本体を前記上層および下層の間に配置するステップと、
（ｅ）前記上層および下層、および前記パッド本体を一緒に成形してブラジャーパッドを形成するステップと、を有することを特徴とする方法。
【請求項１２】
ブラジャーパッドの製造方法であって、
（ａ）複数の溝の横列および縦列を有するパッド本体を準備するステップと、
（ｂ）前記パッド本体の溝の交差部に開口を開けるステップと、
（ｃ）透過性材料で作られた上層および下層、または複数の開口が開けられた上層および下層を準備するステップと、
（ｄ）前記パッド本体を前記上層および下層の間に配置するステップと、
（ｅ）前記上層および下層、および前記パッド本体を一緒に成形してブラジャーパッドを形成するステップと、を有することを特徴とする方法。
【請求項１３】
ブラジャーパッドの製造方法であって、
（ａ）複数の溝を有するパッド本体を準備するステップと、
（ｂ）前記パッド本体の溝の交差部に開口を開けるステップと、
（ｃ）前記パッド本体を布で覆うステップと、
（ｄ）前記布および前記パッド本体を一緒に成形してブラジャーパッドを形成するステップと、を有することを特徴とする方法。
【請求項１４】
ブラジャーパッドの製造方法であって、
（ａ）複数の溝の横列および縦列を有するパッド本体を準備するステップと、
（ｂ）前記パッド本体の溝の交差部に開口を開けるステップと、
（ｃ）前記パッド本体を布で覆うステップと、
（ｄ）前記布および前記パッド本体を一緒に成形してブラジャーパッドを形成するステップと、を有することを特徴とする方法。
【発明の詳細な説明】
【技術分野】
【０００１】
本発明は、一般的に衣類に用いられるパッドに関する。特に本発明は通気を提供する開口および溝を有するパッド本体を有する女性のブラジャー用ブラジャーパッドまたは男性の下着パンツ用パッドに関する。
【発明の概要】
【発明が解決しようとする課題】
【０００２】
本発明の目的は、女性用ブラジャーおよび男性用パンツのような衣類に用いるためのパッドを提供することである。パッドは、着用者に通気を提供するために複数の開口および溝を有する。
【課題を解決するための手段】
【０００３】
本発明は一般的に女性用ブラジャーおよび男性用パンツのような衣類に用いるためのパッドに関する。パッドは、通気および放熱を提供するために複数の開口および溝を有する。
【０００４】
本発明によるパッドの設計は、着用者の体熱が内層から外層へ消散して、通気および放熱効果を効果的に達成し、より快適な下着またはブラジャーを着用者に提供することができるように、溝および開口の形態の通気路を有する。
【０００５】
パッド本体、上層および下層を有し、パッド本体は、溝および溝の交差部に開口を有し、且つ上層および下層の間に配置される、ブラジャーパッドがここに開示される。
【０００６】
好ましくは、溝は複数の横列および縦列からなるパターンである。
【０００７】
好ましくは、ブラジャーパッドは、更に、上層および下層の少なくとも一方上に一枚の布を有する。
【０００８】
選択的に、上層は、少なくとも片側に溝を有する。
【０００９】
選択的に、下層は、少なくとも片側に溝を有する。
【００１０】
上層および下層は、薄い透過性材料で作られるのが好ましい。
【００１１】
変形例では、上層および下層は複数の開口を有する。
【００１２】
上述のブラジャーパッドを有するブラジャーカップもまたここに開示される。
【００１３】
以下のステップを有するブラジャーパッドの製造方法がここに開示される。
（ａ）複数の溝を有するパッド本体を準備するステップと、
（ｂ）パッド本体の溝の交差部に開口を開けるステップと、
（ｃ）透過性材料で作られた上層および下層、または複数の開口が開けられた上層および下層を準備するステップと、
（ｄ）パッド本体を上層および下層の間に配置するステップと、
（ｅ）上層および／または下層を布で覆うステップと、
（ｆ）布、上層および下層、およびパッド本体を一緒に成形してブラジャーパッドを形成するステップ。
【００１４】
以下のステップを有するブラジャーパッドの製造方法が更にここに開示される。
（ａ）複数の溝の横列および縦列を有するパッド本体を準備するステップと、
（ｂ）パッド本体の溝の交差部に開口を開けるステップと、
（ｃ）透過性材料で作られた上層および下層、または複数の開口が開けられた上層および下層を準備するステップと、
（ｄ）パッド本体を上層および下層の間に配置するステップと、
（ｅ）上層および／または下層を布で覆うステップと、
（ｆ）布、上層および下層、およびパッド本体を一緒に成形してブラジャーパッドを形成するステップ。
【００１５】
また、以下のステップを有するブラジャーパッドの製造方法がここに開示される。
（ａ）複数の溝を有するパッド本体を準備するステップと、
（ｂ）パッド本体の溝の交差部に開口を開けるステップと、
（ｃ）透過性材料で作られた上層および下層、または複数の開口が開けられた上層および下層を準備するステップと、
（ｄ）パッド本体を上層および下層の間に配置するステップと、
（ｅ）上層および下層、およびパッド本体を一緒に成形してブラジャーパッドを形成するステップ。
【００１６】
更に、以下のステップを有するブラジャーパッドの製造方法が開示される。
（ａ）複数の溝の横列および縦列を有するパッド本体を準備するステップと、
（ｂ）パッド本体の溝の交差部に開口を開けるステップと、
（ｃ）透過性材料で作られた上層および下層、または複数の開口が開けられた上層および下層を準備するステップと、
（ｄ）パッド本体を上層および下層の間に配置するステップと、
（ｅ）上層および下層、およびパッド本体を一緒に成形してブラジャーパッドを形成するステップ。
【００１７】
以下のステップを有するブラジャーパッドの製造方法が開示される。
（ａ）複数の溝を有するパッド本体を準備するステップと、
（ｂ）パッド本体の溝の交差部に開口を開けるステップと、
（ｃ）パッド本体を布で覆うステップと、
（ｄ）布およびパッド本体を一緒に成形してブラジャーパッドを形成するステップ。
【００１８】
更に、以下のステップを有するブラジャーパッドの製造方法が開示される。
（ａ）複数の溝の横列および縦列を有するパッド本体を準備するステップと、
（ｂ）パッド本体の溝の交差部に開口を開けるステップと、
（ｃ）パッド本体を布で覆うステップと、
（ｄ）布およびパッド本体を一緒に成形してブラジャーパッドを形成するステップ。
【００１９】
上述のパッド本体は他の衣類に用いることができ、それもまた本発明の範囲内であることが理解できるであろう。
【図面の簡単な説明】
【００２０】
【図１】本発明の開口および溝を有するパッド本体の斜視図である。
【図２】本発明のブラジャーパッドの分解斜視図である。
【発明を実施するための形態】
【００２１】
本発明の好ましい形態を添付図面を参照して例示として記載する。
【００２２】
図１に示すように、本発明のパッド本体２０の好ましい実施形態は、複数の溝１２０の横列および縦列、およびパッド本体２０の片側の溝１２０の交差部に開口１１０を有する。選択的に、溝１２０および開口１１０はパッド本体２０の両側に配置される。開口１１０は溝１２０の交差部に配置されるのに限る必要はないことが理解されるであろう。
【００２３】
パッド本体２０は、単独で用いられるか、および／またはパッド本体２０の片側または両側に布が接着されて、ブラジャーカップを作るのに用いられるブラジャーパッドを形成する。
【００２４】
図２は、ブラジャーパッド１０の実施形態を示す。ブラジャーパッド１０は、上層３０と下層４０の間に配置されたパッド本体２０を有する。
【００２５】
選択的に、ブラジャーパッド１０は、パッド本体２０と、上層３０のみまたは下層４０のみのいずれかを有する。
【００２６】
更に選択的に、１枚の布５０、６０を、それぞれ上層３０および／または下層４０上に置かれるように提供してもよい。
【００２７】
上層３０および下層４０は、薄い透過性材料で作られるか、変形例では、複数の開口７０を有してブラジャーパッド１０の全体を通して通気を可能にする。実施形態では、肌に直接触れる衣服の女性らしさと美しさを維持するために、開口７０のサイズは非常に小さいので開口７０は殆ど目に見えない。
【００２８】
熱が下層４０に入って、パッド本体２０の溝１２０および開口１１０を通して上層３０から出ることができるように、パッド本体２０の溝１２０および開口１１０の構造は、空気が異なる方向へ流れる且つ空気の流通を可能にする通路を形成する。
【００２９】
選択的には、上層３０および／または下層４０は、更に、層の少なくとも片側に溝を有してもよい（図示せず）。
【００３０】
更に選択的に、上層３０および／または下層４０は、少なくとも一方の側に、溝の交差部の開口を有してもよい（図示せず）。
【００３１】
ブラジャーパッド１０は、ブラジャーカップに適用することができる。
【００３２】
従って、本発明は記載された実施形態に限定されるものではなく、上記文言によって示唆される全ての範囲および均等物を含むものである。
【図１】
2015086503.tif 000003
【図２】
2015086503.tif 000004